(57)【要約】【課題】確実な電極対の放電と無駄な消費電力の低減の双方を低コストで実現する。【解決手段】コンセントから電極対４２が抜かれたときの当該電極対の２つの電極４２Ａと４２Ｂとの間の残留電荷を放電する放電抵抗Ｒを当該ＡＣプラグ４に内蔵している。また、２つの電極４２Ａと４２Ｂ間に放電抵抗Ｒと直列接続されているスイッチ４３を、当該ＡＣプラグ４に内蔵している。このスイッチ４３は、電極対４２がコンセントに差し込まれるとオフして無駄な消費電力を減らし、コンセントから抜かれるとオンし、放電抵抗Ｒを介して電極対４２の一方の電極の残留電荷を他方の電極に流して、確実に放電する。【選択図】図２
2005353306.tif 000002
【特許請求の範囲】
【請求項１】
プラグ枠体と、プラグ枠体内から外側に突出して形成されている電極対とを備え、当該電極対をコンセントに差し込んだときにコンセントから電源対に供給される交流電力を、当該電極対にプラグ内で接続される交流電源線によって送電するためのＡＣプラグであって、
コンセントから前記電極対が抜かれたときの当該電極対間の残留電荷を放電する放電抵抗と、
電極対がコンセントに差し込まれるとオフし、コンセントから抜かれるとオンし、前記放電抵抗を介して電極対の一方の電極の残留電荷を他方の電極に流すスイッチとを、前記プラグ枠体内で電極対間に直列に設けている
ＡＣプラグ。
【請求項２】
前記スイッチが、
前記電極対と同じ前記プラグ枠体の面に形成され、電極対をコンセントに差し込んだときにコンセント外面に押されてプラグ枠体の内側に向かって移動する可動突起と、
可動突起と前記スイッチの操作片とを連結し、可動突起がプラグ枠体の内側に向かって移動することによりスイッチの操作片を接点から切り離す連結部と、
可動突起に対し外側に向かう力を付与する付勢手段と、
を有する請求項１に記載のＡＣプラグ。
【請求項３】
前記プラグ枠体内で前記電極対間に接続されているノイズ除去用コンデンサを、
さらに有する請求項１に記載のＡＣプラグ。
【請求項４】
電気機器本体と、電気機器本体に接続され外部から交流電力を電気機器本体に送電するための交流電源線と、当該交流電源線の先端部に設けられているＡＣプラグとを備える電気機器であって、
前記ＡＣプラグが、
プラグ枠体と、
プラグ枠体内から外側に突出して形成され、交流電力の供給を受けるときにコンセントに差し込まれる電極対と、
プラグ枠体内に設けられ、コンセントから前記電極対が抜かれたときの電極対の残留電荷を放電する放電抵抗と、
前記電極対間で前記放電抵抗と直列に接続され、電極対がコンセントに差し込まれるとオフし、コンセントから抜かれるとオンし、前記放電抵抗を介して電極対の一方の電極の残留電荷を他方の電極に流すスイッチと、
を有する電気機器。
【請求項５】
前記スイッチが、
前記電極対と同じ前記プラグ枠体の面に形成され、電極対をコンセントに差し込んだときにコンセント外面に押されてプラグ枠体の内側に向かって移動する可動突起と、
可動突起と前記スイッチの操作片とを連結し、可動突起がプラグ枠体の内側に向かって移動することによりスイッチの操作片を接点から切り離す連結部と、
可動突起に対し外側に向かう力を付与する付勢手段と、
を有する請求項４に記載の電気機器。
【請求項６】
前記プラグ枠体内で前記電極対間に接続されているノイズ除去用コンデンサを、
さらに有する請求項４に記載の電気機器。
【請求項７】
前記プラグ枠体内で前記電極対間に接続されている第１のノイズ除去用コンデンサと、
前記電気機器本体内に引き込まれた前記交流電源線間に接続されている第２のノイズ除去用コンデンサと、
をさらに有する請求項４に記載の電気機器。
【発明の詳細な説明】
【技術分野】
【０００１】
本発明は、電極対をコンセントに差し込んだときにコンセントから電源対に供給される交流電力を交流電源線（ＡＣコード）によって送電するためのＡＣプラグと、このＡＣプラグとＡＣコードを備える電気機器とに関するものである。
【背景技術】
【０００２】
従来、商用交流電源を電源入力とする電気機器の入力部分には、商用電源ラインから流入するノイズおよび機器から逆に流出していくノイズを抑制するためのノイズフィルタが配設される。
【０００３】
図８は、従来のＡＣプラグを備える電気機器を示す図である。
この電気機器１００は、機器本体１０１内に、その内部回路１０２の電源入力側にノイズフィルタ１０３を備えている。
このノイズフィルタ１０３は、機器本体に電源を供給するＡＣライン１１０に接続され、その先にはＡＣプラグ１２０が取り付けられている。ＡＣプラグ１２０としては、通常、プラスチック製のプラグ枠体に、ＡＣコード１１０の２本のコードを各々接続するための一対の金具（電極対）を備える一般的なものが使用される。
【０００４】
ＡＣプラグ１２０を不図示の商用交流電源を供給するコンセントに差し込むと、ＡＣコード１１０を介して機器本体１０１の内部回路１０２に電源が供給される状態となる。
【０００５】
このときノイズを除去するノイズフィルタ１０３には、当該機器本体１０１の内部回路１０２で発生するノイズを外部へ漏出させないため、さらには、外部からのノイズを内部回路１０２に入力させないために、ＡＣコード１１０の各ライン間に電気的に接続されるノイズ除去用のコンデンサＣが含まれている。
【０００６】
ノイズ除去用コンデンサＣは、ＥＭＩ(Electro-Magnetic Interference)等による放射雑音の抑制の要求からは、たとえば１μＦと大きな容量値を有し、この場合、かなり多量の電荷を溜めることができる。
【０００７】
したがって、ＡＣプラグ１２０をコンセントから抜いた際、このノイズ除去用コンデンサＣに充電された電荷が、ＡＣプラグ１２０の先端に露出した２つの電極間に加わるため、その電極対を人が手で触れると危険である。
この危険を取り除くため、機器本体１０１側のノイズフィルタ１０３内で、放電用の抵抗（以下、放電抵抗）ＲがＡＣコード１１０の２つのライン間に電気的に接続されている。
【０００８】
放電抵抗Ｒの抵抗値は、ノイズ除去用のコンデンサＣを含めＡＣコード１１０のライン間容量に適合したものでなければならない。つまり、電源ライン間にコンデンサが使用される電気器具に対して日本では電気用品取締法による規制があり、その法規によれば「電気器具の電源プラグを電源コンセントから引き抜いた後に１秒が経過した時点で、そのＡＣプラグの端子間電圧（電極間電圧）が４５Ｖ以下とする」ことが規定されている。
同様な法規は外国にも存在し、とくに欧州などの商用電源の電圧レベルが高い地域では確実な電極対の放電のために、より厳格な法規によって電気器具が規制されている。
また、ノイズの漏洩に関しても各国で厳格に規制されている。
【０００９】
しかしながら、放電抵抗はＡＣプラグ１２０がコンセントに挿入されている時も通電し続けるため、消費電力の増大につながる。
とくにスタンバイ時には機器自体の消費電力が下がるのに比べて、放電抵抗Ｒで消費される電力量が一定のため、その比率は十分に大きなものとなる。
【００１０】
この問題を解決するために、機器本体のノイズフィルタ内にスイッチを設けて放電抵抗に無駄な電流が流れないようにしたものが知られている（たとえば、特許文献１参照）。
また、ＡＣプラグから商用電源が供給されているか否かを回路的に検出し、商用電源が供給されているときは放電抵抗を切断するための回路構成が提案されている（たとえば、特許文献２参照）。
【特許文献１】特開平１１−１７７３６９号公報
【特許文献２】特開２００１−０９５２６１号公報
【発明の開示】
【発明が解決しようとする課題】
【００１１】
ところが、上記特許文献１に記載の技術では、スイッチの動作をし忘れると、電荷が放電されずに帯電状態の電極対を人が手で触ってしまう危険があり、また消費電力増大のおそれがある。
【００１２】
また、上記特許文献２に記載の技術では、回路の誤動作によりスイッチが動作しないことがあると、上記電極対の放電が確実にされない危険、あるいは消費電力増大のおそれがある上、電源供給の検出用回路が必要であり、その分コスト高となるという不利益を被る。
【００１３】
さらに、放電抵抗が感電箇所であるＡＣプラグから距離的に遠い機器本体内に存在すると、放電開始してもＡＣプラグ先端の電極間には残留電荷が暫く溜まっている状態となる。
そのため、従来の電機機器は確実な電極対の放電の観点からは対策が不十分である。
【００１４】
本発明が解決しようとする課題は、確実な電極対の放電と無駄な消費電力の低減の双方を低コストで実現できるＡＣプラグと電気機器を提供することにある。
【課題を解決するための手段】
【００１５】
本発明にかかるＡＣプラグは、プラグ枠体と、プラグ枠体内から外側に突出して形成されている電極対とを備え、当該電極対をコンセントに差し込んだときにコンセントから電源対に供給される交流電力を、当該電極対にプラグ内で接続される交流電源線によって送電するためのＡＣプラグであって、コンセントから前記電極対が抜かれたときの当該電極対間の残留電荷を放電する放電抵抗と、電極対がコンセントに差し込まれるとオフし、コンセントから抜かれるとオンし、前記放電抵抗を介して電極対の一方の電極の残留電荷を他方の電極に流すスイッチとを、前記プラグ枠体内で電極対間に直列に設けている。
好適に、前記プラグ枠体内で前記電極対間に接続されているノイズ除去用コンデンサを、さらに有する。
【００１６】
このような構成によれば、放電抵抗がＡＣプラグ内に設けられ、その放電制御が当該プラグをコンセントから抜く動作と機械的に連動して開始することから、電極対がコンセントから抜かれた状態から速やかに電荷が当該電極対から除去される。
また、ノイズ除去用のコンデンサがＡＣプラグ内で、放電抵抗の近くに配置させた場合、放電対象のコンデンサと、その放電を行うための素子（抵抗）とが効果的に作用し、放電が速やかである。また、交流電源線にのる放射ノイズが、このコンデンサにより除去され、コンセント側に伝達されない。
【００１７】
本発明にかかる電気機器は、電気機器本体と、電気機器本体に接続され外部から交流電力を電気機器本体に送電するための交流電源線と、当該交流電源線の先端部に設けられているＡＣプラグとを備える電気機器であって、前記ＡＣプラグが、プラグ枠体と、プラグ枠体内から外側に突出して形成され、交流電力の供給を受けるときにコンセントに差し込まれる電極対と、プラグ枠体内に設けられ、コンセントから前記電極対が抜かれたときの電極対の残留電荷を放電する放電抵抗と、前記電極対間で前記放電抵抗と直列に接続され、電極対がコンセントに差し込まれるとオフし、コンセントから抜かれるとオンし、前記放電抵抗を介して電極対の一方の電極の残留電荷を他方の電極に流すスイッチと、を有する。
好適に、前記プラグ枠体内で前記電極対間に接続されているノイズ除去用コンデンサを、さらに有する。
あるいは好適に、前記プラグ枠体内で前記電極対間に接続されている第１のノイズ除去用コンデンサと、前記電気機器本体内に引き込まれた前記交流電源線間に接続されている第２のノイズ除去用コンデンサと、をさらに有する。
【００１８】
このような構成の電子機器ではＡＣプラグ側に第１のノイズ除去用コンデンサを設け、電気機器本体側に第２のノイズ除去用コンデンサを設ける場合に、上記したＡＣプラグの作用に加え、交流電源線を介して電気機器側に伝達される放射ノイズも除去される。
【発明の効果】
【００１９】
本発明によれば、確実な電極対の放電と無駄な消費電力の低減の双方を低コストで実現できるＡＣプラグと電気機器を提供することが可能となる。
【発明を実施するための最良の形態】
【００２０】
［第１の実施の形態］
図１に、本発明の第１の実施の形態にかかる電気機器を示す。
電気機器１は、機器本体２と、機器本体２に交流電力を外部から供給するために機器本体２の内部に引き込まれた交流電源線（以下、ＡＣコードという）３と、機器本体２の外部側のＡＣコード３の先端部に設けられているＡＣプラグ４とを有する。
【００２１】
ＡＣコード３は詳細な構成を省略しているが、たとえば２本の並行なより線をビニール等で被覆したものである。ＡＣコード３を、機器本体２内で、内部回路２１の電源線２２Ａ，２２Ｂに接続している。
内部回路２１の電源入力側で、電源線２２Ａと２２Ｂとの間にノイズ除去用のコンデンサＣ１を接続している。このコンデンサＣ１は単体で設けてもよいし、電源ノイズ除去フィルタの一構成素子として設けてもよい。いずれにしても、ここでは内部回路２１の電源入力側には、ノイズ除去用のコンデンサＣ１のみを図示している。
ノイズ除去用のコンデンサＣ１の容量値に限定はないが、後述するＥＭＩ対策のためには、たとえば１μＦと大きな容量値が必要となる。
【００２２】
図２に、ＡＣプラグ４の内部構成を示す。
ＡＣプラグ４は、たとえばプラスチック等からなる複数の枠片からなり、当該複数の枠片を固定したときに内部に空間が形成されるプラグ枠体４１を有し、そのプラグ枠体４１内に複数の部品を収容したものである。
ＡＣプラグ４は、プラグ枠体４１に固定または収容される部品として、プラグ枠体４１の内部から反ＡＣコード側の面（差し込み側面）の外部に突出して配置される電極対４２と、電極対４２間のスイッチ４３およびその操作部４４と、放電抵抗Ｒとを有する。放電抵抗Ｒは、その抵抗値に限定はないが、通常、数百ｋΩ〜数ＭΩのものを用いる。
なお、電極対４２は、いわゆる差し込み刃と称され、後述するようにコンセントに差し込まれる部分である。
【００２３】
ＡＣコード３は２つの並行なコード３Ａと３Ｂからなり、電極対４２は２つの電極４２Ａと４２Ｂからなり、コード３Ａと電極４２Ａ、コード３Ｂと電極４２Ｂがそれぞれプラグ枠体４１内部で結線されている。
【００２４】
電極４２Ａとコード３Ａのプラグ内接続中点と、電極４２Ｂとコード３Ｂとのプラグ内接続中点との間に、スイッチ４３と放電抵抗Ｒとを直列接続している。
スイッチ４３は、電極４２Ａとコード３Ａとのプラグ内接続点に電気的に接続されている支点４３Ａと、支点４３Ａを軸に開閉動作する導電性の操作片４３Ｂと、開閉動作する操作片４３Ｂを介して支点４３Ａとの電気的接続状態が制御される接点４３Ｃとを備える。
スイッチの接点４３Ｃと、電極４２Ｂとコード３Ｂとのプラグ内接続点との間に放電抵抗Ｒが接続されている。
【００２５】
操作部４４は、可動突起４４Ａ、連動ピン４４Ｂ、ストッパー４４Ｃ、および、バネ４４Ｄを備える。
可動突起４４Ａは、電極対４２が設けられているプラグ枠体４１の差し込み側面４１Ａから突出し、この差し込み側面４１Ａにほぼ垂直な方向に移動が可能となっている。
なお、可動突起４４Ａは、差し込み側面４１Ａのどこに設けてもよいが、電極対４２の間に設けることが、プラグ差し込込み動作との連動、および、確実な動作を保障する意味で望ましい。
【００２６】
より詳細には、可動突起４４Ａは、その胴体が差し込み側面４１Ａに形成された孔（不図示）内をスライドして動作する。このとき可動突起４４Ａがプラグ枠体４１から脱落しないように、可動突起４４Ａの胴体の内側端周囲に、差し込み側面４１Ａのプラグ内側に当接する当接部４４Ｅが設けられている。
また、当接部４４Ｅが、よりプラグ内部側でプラグ枠体４１に固定されているストッパー４４Ｃに当接すると、可動突起４４Ａの動きが規制される。
このため、可動突起４４Ａは、ＡＣプラグ４の差し込み側面４１Ａとストッパー４４Ｃとの間のストローク内で自由にスライドする。
【００２７】
可動突起４４Ａの先端面は閉じられており、その裏面である胴体内側の閉端面とストッパー４４Ｃとの間に、両者を外側に離す力を付与する付勢手段としてバネ４４Ｄが配置されている。
図２には、バネ４４Ｄとしてつる巻きバネが示されているが、板バネなどの他の形状のバネ、その他の付勢手段でもよい。また、当接部４４Ｅと差し込み側面４１Ａとの間に、両者を引き寄せる力を付与するバネ、その他の付勢手段を設けてもよい。
【００２８】
可動突起４４Ａの閉端面とスイッチ４３の操作片４３Ｂとを、連動ピン４４Ｂによって連結している。可動突起４４Ａとスイッチの操作片４３Ｂとは、この連動ピン４４Ｂによって連動する。このため可動突起４４Ａがスライドすることと連動してスイッチ４３の開閉がおこなわれるようになっている。
【００２９】
図２では連動ピン４４Ｂが、つる巻きバネ４４Ｄの軸、および、ストッパー４４Ｃに設けられているピン孔を通ることで、これらによってスライド時に案内される。この案内によって、スライド時に連動ピン４４Ｂが差し込み面４１Ａに対し大きく傾くことがない。
このような操作部４４の構造では、スイッチの開閉動作が確実に行えるという利点がある。
【００３０】
ただし、スイッチ４３が片側接点タイプなので、その操作片４３Ｂは支点４３Ａを軸に回転する。そのため、この操作片４３Ｂの軸回転にともなって連動ピン４４Ｂが差し込み面４１Ａに対し少し傾くことは許されている。また、操作片４３Ｂと連動ピン４４Ｂがある程度軸回転可能に軸支されている。
【００３１】
なお、このような軸回転しない構成、すなわち、スイッチ４３を２接点タイプとして、操作片４３Ｂが連動ピン４４Ｂのスライド方向に平行移動するようにしてもよい。この場合、操作片４３Ｂと連動ピン４４Ｂが軸回転しないで固定可能である。また、操作片４３Ｂに対して付勢手段を設けてもよい。
【００３２】
このような構成のスイッチ４３およびその操作部４４によって、当該ＡＣプラグ４がコンセントなどに差し込まれると、そのコンセントの外面によって可動突起４４Ａがプラグ内側に押される。
【００３３】
図３は、ＡＣプラグ４がコンセントに挿入された状態を示している。
なお、ＡＣプラグ４が差し込まれるコンセントとしては、建物の部屋の内壁などに設けられるコンセント、他の機器のコンセント、他のＡＣコードに付属したテーブルタップのコンセントなどのいずれであってもよい。
【００３４】
コンセントの外面１００に設けられたコンセント穴に、ＡＣプラグ４の電極対４２を差し込んで押すと、その差し込み側面４１Ａに設けられている可動突起４４Ａがコンセントの外面１００に当たって、可動突起４４Ａがプラグ内側にスライドし、これとともに連動ピン４４Ｂもスライドする。
このとき、ＡＣプラグ４の電極対４２がコンセント穴内のプラグ受け金具（不図示）に電気的に十分接続されるほど差し込まれた状態で、可動突起４４Ａおよび連動ピン４４Ｂのスライドによって、スイッチ４３の操作片４３Ｂが接点４３Ｃから離れ、当該スイッチ４３がオフになる。
【００３５】
そのため、ＡＣプラグ４内の放電抵抗Ｒが電極対４２の一方、ここでは電極４２Ａと切り離される。したがって、電極対４２によってコンセント側から供給される交流電力が、この放電抵抗Ｒによって無駄に消費されなくなる。なお、図３は、ＡＣプラグ４を最後まで完全に差し込んだ状態を示している。
このとき常にコンセントに対し、バネ４４Ｄによりプラグが引き抜かれる方向の力が作用している。したがってバネ４４Ｄは、コンセントからプラグを抜いた後に、可動突起４４Ａをスライドさせるのに十分な力を有するだけの弱いバネ力のものを採用する。
【００３６】
図３に示す状態から、ＡＣプラグ４を抜いてコンセントから取り外すと、上記と逆の過程をたどって、電極対４２がコンセント内のプラグ受け金具（不図示）から十分抜けた段階でスイッチ４３がオンする。これは、ＡＣプラグ４をコンセントから抜くことにより、可動突起４４Ａにかかっていた押圧力が開放されるので、可動突起４４Ａがバネ４４Ｄの力で元の状態に戻されるからである。
【００３７】
これにより、放電抵抗Ｒが電極対４２間に電気的に接続された状態となり、図１に示すように機器本体２内部で電源線２２Ａと２２Ｂ間に取り付けられたノイズ除用コンデンサＣ１に充電された電荷を放電する。その結果、抜いたＡＣプラグ４の電極対４２に人が手で触れても危険はない。
【００３８】
なお、本実施の形態では、感電が懸念されるＡＣプラグ４側で電荷を放電することから確実な電極対の放電に有効である。
つまり、本実施の形態と異なり機器本体２内に放電抵抗を備える場合は、放電を開始してから蓄積電荷の供給側であるＡＣプラグ４を完全に抜いた後も、僅かな時間ではあるが、その電極対４２に電荷が溜まっている状態が存在することがある。
本実施の形態では、ＡＣプラグ４側で電荷を放電することから、確実な電極対の放電に有効である。また、簡素な個性の機械的なスイッチ４３を付加しており、このことによるコスト増は僅かである。電気機器内に電気的スイッチを設ける場合に比べると、むしろコストを低減することが可能である。
【００３９】
なお、この放電をできるだけ早い段階で開始するには、可動突起４４Ａのスライド範囲内でスイッチ４３がオンするタイミングを早くするとよい。ただし、スイッチ４３の電極対４２がコンセント内のプラグ受け金具から十分抜かれた段階でスイッチ４３がオンしないと交流がショートする。
以上より、本実施の形態では、交流がショートしないように電極対４２がコンセント内のプラグ受け金具から十分抜けた段階で、かつ、できるだけ早くスイッチ４３をオンさせることが望ましい。
【００４０】
なお、本実施の形態では放電抵抗Ｒを機器本体２内に有していないことも一つの特徴である。
これは、放電抵抗Ｒを機器本体側２に設けると、ＡＣプラグ４がコンセントに差し込まれた状態では常に無駄な電力消費が生じ、ＡＣコンセント４内のスイッチ４３をオフさせて機器の待機時または停止時の無駄な消費電力を低減するという本実施の形態の効果が得られなくなるからである。
【００４１】
［第２の実施の形態］
図４に第２の実施の形態にかかる電気機器を示し、図５に、そのＡＣプラグの構成を示す。
第２の実施の形態では、ノイズ除去用のコンデンサを機器本体２側ではなく、ＡＣプラグ４内に設けている。
すなわち、図５に示すように、ノイズ除去用のコンデンサＣ２が、ＡＣコード３を構成するコード３Ａと３Ｂとの間に接続されている。
その他の構成は図２と共通しており、ここでの説明は省略する。
【００４２】
図１に示す第１実施の形態では、ＥＭＩ(Electro-Magnetic Interference)等による放射雑音が当該機器本体２からＡＣコード３に入る場合、この放射雑音はノイズ除去用のコンデンサＣ１を飛び越してアンテナとしてのＡＣコード３に入ることから、コンデンサＣ１により除去できない。このようにしてＡＣコード３にノイズがのると、ＡＣプラグ４を介して他の機器が接続されている場合、その電源ラインにノイズがのって電源電位が不安定になり、ひどい場合は誤動作の原因となる。
【００４３】
第２の実施の形態では、この放射雑音のコンセント側への伝達を、ＡＣプラグ４内のノイズ除去用のコンデンサＣ２で除去できることから、その分、同じ性能の部品を使用しても高いノイズ除去能力を得ることができるという利点がある。このためコンデンサＣ２としては、たとえば１μＦ程度と大容量のものを用いる。
なお、スイッチ４３の放電抵抗Ｒの接続制御により低コストで電極対の放電が確実であるという効果は第１の実施の形態と同じである。
【００４４】
［第３の実施の形態］
図６に、第３の実施の形態にかかる電気機器を示す。
第３の実施の形態では、第２の実施の形態と同様にＡＣプラグ４側にノイズ除去用のコンデンサＣ２を設け（図５参照）、さらに第１の実施の形態と同様に機器本体２内の電源線２２Ａと２２Ｂとの間にノイズ除去用のコンデンサＣ１を設けている。
【００４５】
ＡＣプラグ４は小型化が要求されることから、一般に、その中に内蔵するコンデンサＣ２は余り大型のものを使用できない。そこで、たとえば放射雑音に強い高周波特性が優れた小型のコンデンサＣ２をＡＣプラグ４内に設けることが望ましい。ところが、余り高い周波数ではないが振幅が大きなノイズがコンセント側からＡＣコード３を通って機器本体２に入る場合、このようなＡＣプラグ４内のコンデンサＣ２だけではノイズを十分に除去できないことがある。そこで、本実施の形態では、機器本体２側にもノイズ除去用のコンデンサＣ１を設けている。
【００４６】
また、他の機器からの放射雑音がＡＣコード３に入り、これが機器本体２内の内部回路２１に伝達されるおそれがあり、このようなノイズの影響を防ぐには機器本体２側に低周波雑音および放射雑音の除去性能にも優れたフィルタの構成要素としてコンデンサＣ１を設ける必要がある。
【００４７】
第３の実施の形態では、第１の実施の形態と同様な効果に加え、機器本体２側とＡＣプラグ側の双方にノイズ除去用のコンデンサを設けることによって、第２の実施の形態と同様にＡＣコード３にのる放射雑音を除去し、コンセント側に接続されている機器の誤動作等を防止する効果が得られる。
また、同時に、他の機器から発せられＡＣコード３にのる放射雑音およびコンセント、および、ＡＣコード３を通って伝達される低周波の大きな振幅のノイズの双方が、当該機器本体２の内部回路２１に伝達されることを有効に防止することができる。
さらに、コンデンサ内蔵型であっても小型のＡＣプラグを実現でき、また、ノイズ除去能力の向上により機器本体２内部のノイズフィルタの構成を簡略化してコストダウンが図れるという利点がある。
【００４８】
図７は、ノイズ除去能力の向上を示すグラフである。図７（Ａ）に、図８に示すように機器本体側のフィルタのみでノイズを除去した場合の残留ノイズレベルと周波数の関係を示すグラフである。また、図７（Ｂ）が第３の実施の形態における同グラフである。
【００４９】
図７（Ａ）と図７（Ｂ）を比較することから明らかなように、第３の実施の形態のように機器本体２側とＡＣプラグ４の双方にノイズ除去用のコンデンサＣ１とＣ２を設けると、高周波のノイズレベルを全体として抑制し、かつ、低周波のレベルが大きなノイズを有効に除去できていることを確かめることができた。
【図面の簡単な説明】
【００５０】
【図１】本発明の第１の実施の形態にかかる電気機器を示す図である。
【図２】ＡＣプラグの内部構成を示す図である。
【図３】ＡＣプラグがコンセントに挿入された状態を示す図である。
【図４】本発明の第２の実施の形態にかかる電気機器を示す図である。
【図５】第２および第３の実施の形態にかかるＡＣプラグの構成を示す図である。
【図６】本発明の第３の実施の形態にかかる電気機器を示す図である。
【図７】（Ａ）は、図８に示すように機器本体側のフィルタのみでノイズを除去した場合の残留ノイズレベルと周波数の関係を示すグラフである。（Ｂ）は、第３の実施の形態における同グラフである。
【図８】従来のＡＣプラグを備える電気機器を示す図である。
【符号の説明】
【００５１】
１…電気機器、２…機器本体、３…ＡＣコード、４…ＡＣプラグ、２１…内部回路、２２Ａ，２２Ｂ…電源線、４１…プラグ枠体、４２…電極対、４３…スイッチ、４４…操作部、Ｒ…放電抵抗、３Ａ，３Ｂ…コード、４３Ａ…支点、４３Ｂ…操作片、４３Ｃ…接点、４４Ａ…可動突起、４４Ｂ…連動ピン、４４Ｃ…ストッパー、４４Ｄ…バネ、Ｃ１，Ｃ２…ノイズ除去用のコンデンサ、Ｒ…放電抵抗
【図１】
2005353306.tif 000003
【図２】
2005353306.tif 000004
【図３】
2005353306.tif 000005
【図４】
2005353306.tif 000006
【図５】
2005353306.tif 000007
【図６】
2005353306.tif 000008
【図７】
2005353306.tif 000009
【図８】
2005353306.tif 000010
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
プラグ枠体と、プラグ枠体内から外側に突出して形成されている電極対とを備え、当該電極対をコンセントに差し込んだときにコンセントから電源対に供給される交流電力を、当該電極対にプラグ内で接続される交流電源線に送るためのＡＣプラグであって、
コンセントから前記電極対が抜かれたときの当該電極対間の残留電荷を放電する放電抵抗と、
電極対がコンセントに差し込まれるとオフし、コンセントから抜かれるとオンし、前記放電抵抗を介して電極対の一方の電極の残留電荷を他方の電極に流すスイッチとを、前記プラグ枠体内で電極対間に直列に設けている
ＡＣプラグ。
【請求項２】
前記スイッチが、
前記電極対と同じ前記プラグ枠体の面に形成され、電極対をコンセントに差し込んだときにコンセント外面に押されてプラグ枠体の内側に向かって移動する可動突起と、
可動突起と前記スイッチの操作片とを連結し、可動突起がプラグ枠体の内側に向かって移動することによりスイッチの操作片を接点から切り離す連結部と、
可動突起に対し外側に向かう力を付与する付勢手段と、
を有する請求項１に記載のＡＣプラグ。
【請求項３】
前記プラグ枠体内で前記電極対間に接続されているノイズ除去用コンデンサを、
さらに有する請求項１に記載のＡＣプラグ。
【請求項４】
電気機器本体と、電気機器本体に接続され外部から交流電力を電気機器本体に送るための交流電源線と、当該交流電源線の先端部に設けられているＡＣプラグとを備える電気機器であって、
前記ＡＣプラグが、
プラグ枠体と、
プラグ枠体内から外側に突出して形成され、交流電力の供給を受けるときにコンセントに差し込まれる電極対と、
プラグ枠体内に設けられ、コンセントから前記電極対が抜かれたときの電極対の残留電荷を放電する放電抵抗と、
前記電極対間で前記放電抵抗と直列に接続され、電極対がコンセントに差し込まれるとオフし、コンセントから抜かれるとオンし、前記放電抵抗を介して電極対の一方の電極の残留電荷を他方の電極に流すスイッチと、
を有する電気機器。
【請求項５】
前記スイッチが、
前記電極対と同じ前記プラグ枠体の面に形成され、電極対をコンセントに差し込んだときにコンセント外面に押されてプラグ枠体の内側に向かって移動する可動突起と、
可動突起と前記スイッチの操作片とを連結し、可動突起がプラグ枠体の内側に向かって移動することによりスイッチの操作片を接点から切り離す連結部と、
可動突起に対し外側に向かう力を付与する付勢手段と、
を有する請求項４に記載の電気機器。
【請求項６】
前記プラグ枠体内で前記電極対間に接続されているノイズ除去用コンデンサを、
さらに有する請求項４に記載の電気機器。
【請求項７】
前記プラグ枠体内で前記電極対間に接続されている第１のノイズ除去用コンデンサと、
前記電気機器本体内に引き込まれた前記交流電源線間に接続されている第２のノイズ除去用コンデンサと、
をさらに有する請求項４に記載の電気機器。
【手続補正２】
【補正対象書類名】明細書
【補正対象項目名】０００１
【補正方法】変更
【補正の内容】
【０００１】
本発明は、電極対をコンセントに差し込んだときにコンセントから電源対に供給される交流電力を交流電源線（ＡＣコード）に送るためのＡＣプラグと、このＡＣプラグとＡＣコードを備える電気機器とに関するものである。
【手続補正３】
【補正対象書類名】明細書
【補正対象項目名】００１５
【補正方法】変更
【補正の内容】
【００１５】
本発明にかかるＡＣプラグは、プラグ枠体と、プラグ枠体内から外側に突出して形成されている電極対とを備え、当該電極対をコンセントに差し込んだときにコンセントから電源対に供給される交流電力を、当該電極対にプラグ内で接続される交流電源線に送るためのＡＣプラグであって、コンセントから前記電極対が抜かれたときの当該電極対間の残留電荷を放電する放電抵抗と、電極対がコンセントに差し込まれるとオフし、コンセントから抜かれるとオンし、前記放電抵抗を介して電極対の一方の電極の残留電荷を他方の電極に流すスイッチとを、前記プラグ枠体内で電極対間に直列に設けている。
好適に、前記プラグ枠体内で前記電極対間に接続されているノイズ除去用コンデンサを、さらに有する。
【手続補正４】
【補正対象書類名】明細書
【補正対象項目名】００１７
【補正方法】変更
【補正の内容】
【００１７】
本発明にかかる電気機器は、電気機器本体と、電気機器本体に接続され外部から交流電力を電気機器本体に送るための交流電源線と、当該交流電源線の先端部に設けられているＡＣプラグとを備える電気機器であって、前記ＡＣプラグが、プラグ枠体と、プラグ枠体内から外側に突出して形成され、交流電力の供給を受けるときにコンセントに差し込まれる電極対と、プラグ枠体内に設けられ、コンセントから前記電極対が抜かれたときの電極対の残留電荷を放電する放電抵抗と、前記電極対間で前記放電抵抗と直列に接続され、電極対がコンセントに差し込まれるとオフし、コンセントから抜かれるとオンし、前記放電抵抗を介して電極対の一方の電極の残留電荷を他方の電極に流すスイッチと、を有する。
好適に、前記プラグ枠体内で前記電極対間に接続されているノイズ除去用コンデンサを、さらに有する。
あるいは好適に、前記プラグ枠体内で前記電極対間に接続されている第１のノイズ除去用コンデンサと、前記電気機器本体内に引き込まれた前記交流電源線間に接続されている第２のノイズ除去用コンデンサと、をさらに有する。
【手続補正５】
【補正対象書類名】明細書
【補正対象項目名】００３８
【補正方法】変更
【補正の内容】
【００３８】
なお、本実施の形態では、感電が懸念されるＡＣプラグ４側で電荷を放電することから確実な電極対の放電に有効である。
つまり、本実施の形態と異なり機器本体２内に放電抵抗を備える場合は、放電を開始してから蓄積電荷の供給側であるＡＣプラグ４を完全に抜いた後も、僅かな時間ではあるが、ノイズ除去用コンデンサＣ１に電荷が溜まっている状態が存在することがある。
本実施の形態では、ＡＣプラグ４側で電荷を放電することから、確実な電極対の放電に有効である。また、簡素な個性の機械的なスイッチ４３を付加しており、このことによるコスト増は僅かである。電気機器内に電気的スイッチを設ける場合に比べると、むしろコストを低減することが可能である。